(57)【要約】【課題】光ディスク再生装置において、光ディスクの早送り又は早戻し再生時に表示される再生時間情報の値の変化が一定で、かつ、変化するタイミングが一定になるようにする。【解決手段】早送り再生の際、読み飛ばされるセクタ数”Ｓｓｋｉｐ”と再生されるセクタ数”Ｓｐｌａｙ”に基づいて、再生時間情報としてタイムコードが利用されるセクタの間隔”Ｔｄｉｓｐ”を演算し、セクタ単位で映像データ及び／又は音声データが再生される毎に、読み飛ばし動作する直前に映像データ及び／又は音声データが再生された再生セクタグループＦ１，Ｆ２の先頭のセクタ位置を基準として、データの再生方向にセクタの間隔”Ｔｄｉｓｐ”だけセクタ位置を移動し、各セクタ位置の管理データからタイムコードを取得して再生時間情報を表示する。【選択図】図３
2005129188.tif 000002
【特許請求の範囲】
【請求項１】
光ディスクに記録されている映像データ及び／又は音声データと該映像データ及び／又は音声データに対応する管理データとをセクタ単位で読み出すデータ読み出し手段と、
前記データ読み出し手段により読み出された映像データ及び／又は音声データと管理データを一時的に記憶する記憶手段と、
前記記憶手段により記憶された前記映像データ及び／又は音声データを復号化して映像信号及び／又は音声信号として出力する再生手段と、
前記記憶手段により記憶された前記管理データに基づいて、前記再生手段を制御する再生制御手段と、
前記記憶手段により記憶された前記管理データからタイムコードを取得して再生時間情報を表示する時間表示手段とを備えた光ディスク再生装置において、
前記再生手段は、
前記再生制御手段からの制御信号に基づいて前記記憶手段により記憶された前記映像データ及び／又は音声データを再生するセクタ位置を制御し、
早送り再生のときは、所定数のセクタからなる再生セクタグループの映像データ及び／又は音声データを再生した後、該再生セクタグループのセクタ数とは別に設定された所定セクタ数分だけデータの再生方向に映像データ及び／又は音声データを読み飛ばし、これら再生及び読み飛ばし動作を繰り返すことにより前記再生セクタグループのみを断続的に再生し、
早戻し再生のときは、所定数のセクタからなる再生セクタグループの映像データ及び／又は音声データを再生した後、該再生セクタグループのセクタ数とは別に設定された所定セクタ数分だけデータの再生方向と逆方向に映像データ及び／又は音声データを読み飛ばし、これら再生及び読み飛ばし動作を繰り返すことにより前記再生セクタグループのみを断続的に再生し、
前記時間表示手段は、
早送り再生のときは、前記読み飛ばされるセクタ数に前記再生されるセクタ数を加算し、この加算値を前記再生されるセクタ数で除算することにより、前記再生時間情報としてタイムコードが利用されるセクタの間隔を演算し、セクタ単位で映像データ及び／又は音声データが再生される毎に、読み飛ばし動作する直前に映像データ及び／又は音声データが再生された前記再生セクタグループの最後のセクタ位置を基準として、データの再生方向に、前記により演算されたセクタの間隔ずつセクタ位置を移動して各セクタ位置の管理データからタイムコードを取得して再生時間情報を表示し、
早戻し再生のときは、前記読み飛ばされるセクタ数から前記再生されるセクタ数を減算し、この減算値を前記再生されるセクタ数で除算することにより、前記再生時間情報としてタイムコードが利用されるセクタの間隔を演算し、セクタ単位で映像データ及び／又は音声データが再生される毎に、読み飛ばし動作する直前に映像データ及び／又は音声データが再生された前記再生セクタグループの先頭のセクタ位置を基準として、データの再生方向と逆方向に、前記により演算されたセクタの間隔ずつセクタ位置を移動して各セクタ位置の管理データからタイムコードを取得して再生時間情報を表示することを特徴とする光ディスク装置。
【請求項２】
光ディスクに記録されている映像データ及び／又は音声データと該映像データ及び／又は音声データに対応する管理データとをセクタ単位で読み出すデータ読み出し手段と、
前記データ読み出し手段により読み出された映像データ及び／又は音声データと管理データを一時的に記憶する記憶手段と、
前記記憶手段により記憶された前記映像データ及び／又は音声データを復号化して映像信号及び／又は音声信号として出力する再生手段と、
前記記憶手段により記憶された前記管理データに基づいて、前記再生手段を制御する再生制御手段と、
前記記憶手段により記憶された前記管理データからタイムコードを取得して再生時間情報を表示する時間表示手段とを備えた光ディスク再生装置において、
前記再生手段は、
前記再生制御手段からの制御信号に基づいて前記記憶手段により記憶された前記映像データ及び／又は音声データを再生するセクタ位置を制御し、
早送り再生のときは、所定数のセクタからなる再生セクタグループの映像データ及び／又は音声データを再生した後、該再生セクタグループのセクタ数とは別に設定された所定セクタ数分だけデータの再生方向に映像データ及び／又は音声データを読み飛ばし、これら再生及び読み飛ばし動作を繰り返すことにより前記再生セクタグループのみを断続的に再生し、
前記時間表示手段は、
早送り再生のときは、前記読み飛ばされるセクタ数と前記再生されるセクタ数に基づいて、前記再生時間情報としてタイムコードが利用されるセクタの間隔を演算し、所定セクタ数の映像データ及び／又は音声データが再生される毎に、データの再生方向に、前記により演算されたセクタの間隔ずつセクタ位置を移動して、各セクタ位置の管理データからタイムコードを取得して再生時間情報を表示することを特徴とする光ディスク装置。
【請求項３】
光ディスクに記録されている映像データ及び／又は音声データと該映像データ及び／又は音声データに対応する管理データとをセクタ単位で読み出すデータ読み出し手段と、
前記データ読み出し手段により読み出された映像データ及び／又は音声データと管理データを一時的に記憶する記憶手段と、
前記記憶手段により記憶された前記映像データ及び／又は音声データを復号化して映像信号及び／又は音声信号として出力する再生手段と、
前記記憶手段により記憶された前記管理データに基づいて、前記再生手段を制御する再生制御手段と、
前記記憶手段により記憶された前記管理データからタイムコードを取得して再生時間情報を表示する時間表示手段とを備えた光ディスク再生装置において、
前記再生手段は、
前記再生制御手段からの制御信号に基づいて前記記憶手段により記憶された前記映像データ及び／又は音声データを再生するセクタ位置を制御し、
早戻し再生のときは、所定数のセクタからなる再生セクタグループの映像データ及び／又は音声データを再生した後、該再生セクタグループのセクタ数とは別に設定された所定セクタ数分だけデータの再生方向と逆方向に映像データ及び／又は音声データを読み飛ばし、これら再生及び読み飛ばし動作を繰り返すことにより前記再生セクタグループのみを断続的に再生し、
前記時間表示手段は、
早戻し再生のときは、前記読み飛ばされるセクタ数と前記再生されるセクタ数に基づいて、前記再生時間情報としてタイムコードが利用されるセクタの間隔を演算し、所定セクタ数の映像データ及び／又は音声データが再生される毎に、データの再生方向と逆方向に、前記により演算されたセクタの間隔ずつセクタ位置を移動して、各セクタ位置の管理データからタイムコードを取得して再生時間情報を表示することを特徴とする光ディスク装置。
【発明の詳細な説明】
【技術分野】
【０００１】
本発明は、ＣＤ（compact  disc）やＤＶＤ（digital  versatile  disc）等の光ディスクに記憶されたデータを再生する光ディスク再生装置に関するものである。
【背景技術】
【０００２】
従来から、光ディスクに記録された映像データ及び／又は音声データについて、通常の再生速度よりも速い所定倍速で早送り再生又は早戻し再生することができる光ディスク再生装置が知られている。このような光ディスク再生装置において、早送り再生又は早戻し再生は、全てのセクタについて映像データ及び／又は音声データを再生するのではなく、一定の割合でデータを間引いて再生することにより行われる。例えば、ＣＤ等に記録された音声データを１５倍速で早送り再生する場合、図５（ａ）に示されるように、３０セクタ分の音声データを再生した後、４２０セクタ分だけデータの再生方向（矢印ａ方向）に音声データを読み飛ばす。これら再生及び読み飛ばし動作を繰り返すことにより音声データの一部ｆ１，ｆ２，ｆ３，ｆ４…の順に断続的に再生する。一方、１５倍速で早戻し再生する場合には、図５（ｂ）に示されるように、３０セクタ分の音声データ再生した後、４８０セクタ分だけデータの再生方向と逆方向（矢印ｂ方向）に音声データを読み飛ばし、これら再生及び読み飛ばし動作を繰り返すことにより音声データの一部ｒ１，ｒ２，ｒ３，ｒ４…の順に断続的に再生する。
【０００３】
しかしながら、このような従来の光ディスク再生装置においては、早送り再生又は早戻し再生の際、実際に映像データ及び／又は音声データが再生されているセクタのタイムコードを利用して再生時間情報を表示していたため、再生時間の表示値が瞬間的に大きく変化し、不自然であった。また、ユーザが再生時間の表示を参照しながら目的とする再生位置を探す場合、目的位置で停止させることが困難であった。
【０００４】
一方、光ディスクに記録されているアドレス情報と再生同期信号の計数値より再生時間情報を予め生成してレジスタへ入力し、単位時間毎にレジスタから出力することにより、外部出力される再生出力信号の再生時間を容易に生成し表示することのできる光ディスク再生装置が知られている（例えば、特許文献１参照）。また、光ピックアップにより再生されたＭＰＥＧデータのアドレス情報及びエラー訂正された後のＭＰＥＧデータに含まれる各ピクチャの開始位置を利用して希望するピクチャを早送り再生することができる光ディスク再生装置が知られている（例えば、特許文献２参照）。また、ＤＶＤオーディオの管理データから、再生する音声データの単位時間当たりのセクタ数を算出して、その値に基づいて早送り再生や早戻し再生の再生セクタ数とジャンプセクタ数を算出し、２種類以上の転送ビットレートなどの音声属性の異なる音声データの早送り再生や早戻し再生に適応することができる装置が知られている（例えば、特許文献３参照）。
【特許文献１】特開平７−２１７４５号公報
【特許文献２】特開２００１−２１１４０５号公報
【特許文献３】特開２００２−８３１８号公報
【発明の開示】
【発明が解決しようとする課題】
【０００５】
ところが、特許文献１に記載の光ディスク再生装置においては、光ディスクに記録されたタイムコードを利用しないため、タイムコードを利用して再生時間情報を表示する場合に比べて処理が煩雑となる。また、特許文献２に記載の光ディスク再生装置は、早送り再生等の特殊再生を行うときの処理量を低減させると共に、特殊再生時のデータアクセス速度を向上させることができるものの、早送り再生又は早戻し再生時の再生時間情報の表示を改善するものではない。また、特許文献３に記載の光ディスク再生装置は、２種類以上の転送ビットレート等の音声属性の異なる音声データの早送り再生や早戻し再生に適応することができるものの、早送り再生又は早戻し再生時の再生時間情報の表示を改善するものではない。
【０００６】
本発明は上記課題を解決するためになされたものであり、光ディスクの早送り再生又は早戻し再生の際に表示される再生時間情報の値の変化及び変化のタイミングが一定であり、ユーザが再生時間を参照しながら目的とする再生位置を探す場合に、目的位置で停止させ易くすることができる光ディスク再生装置を提供することを目的とする。
【課題を解決するための手段】
【０００７】
上記目的を達成するために請求項１の発明は、光ディスクに記録されている映像データ及び／又は音声データと該映像データ及び／又は音声データに対応する管理データとをセクタ単位で読み出すデータ読み出し手段と、前記データ読み出し手段により読み出された映像データ及び／又は音声データと管理データを一時的に記憶する記憶手段と、前記記憶手段により記憶された前記映像データ及び／又は音声データを復号化して映像信号及び／又は音声信号として出力する再生手段と、前記記憶手段により記憶された前記管理データに基づいて、前記再生手段を制御する再生制御手段と、前記記憶手段により記憶された前記管理データからタイムコードを取得して再生時間情報を表示する時間表示手段とを備えた光ディスク再生装置において、前記再生手段は、前記再生制御手段からの制御信号に基づいて前記記憶手段により記憶された前記映像データ及び／又は音声データを再生するセクタ位置を制御し、早送り再生のときは、所定数のセクタからなる再生セクタグループの映像データ及び／又は音声データを再生した後、該再生セクタグループのセクタ数とは別に設定された所定セクタ数分だけデータの再生方向に映像データ及び／又は音声データを読み飛ばし、これら再生及び読み飛ばし動作を繰り返すことにより前記再生セクタグループのみを断続的に再生し、早戻し再生のときは、所定数のセクタからなる再生セクタグループの映像データ及び／又は音声データを再生した後、該再生セクタグループのセクタ数とは別に設定された所定セクタ数分だけデータの再生方向と逆方向に映像データ及び／又は音声データを読み飛ばし、これら再生及び読み飛ばし動作を繰り返すことにより前記再生セクタグループのみを断続的に再生し、前記時間表示手段は、早送り再生のときは、前記読み飛ばされるセクタ数に前記再生されるセクタ数を加算し、この加算値を前記再生されるセクタ数で除算することにより、前記再生時間情報としてタイムコードが利用されるセクタの間隔を演算し、セクタ単位で映像データ及び／又は音声データが再生される毎に、読み飛ばし動作する直前に映像データ及び／又は音声データが再生された前記再生セクタグループの最後のセクタ位置を基準として、データの再生方向に、前記により演算されたセクタの間隔ずつセクタ位置を移動して各セクタ位置の管理データからタイムコードを取得して再生時間情報を表示し、早戻し再生のときは、前記読み飛ばされるセクタ数から前記再生されるセクタ数を減算し、この減算値を前記再生されるセクタ数で除算することにより、前記再生時間情報としてタイムコードが利用されるセクタの間隔を演算し、セクタ単位で映像データ及び／又は音声データが再生される毎に、読み飛ばし動作する直前に映像データ及び／又は音声データが再生された前記再生セクタグループの先頭のセクタ位置を基準として、データの再生方向と逆方向に、前記により演算されたセクタの間隔ずつセクタ位置を移動して各セクタ位置の管理データからタイムコードを取得して再生時間情報を表示することを特徴とする。
【０００８】
請求項２の発明は、光ディスクに記録されている映像データ及び／又は音声データと該映像データ及び／又は音声データに対応する管理データとをセクタ単位で読み出すデータ読み出し手段と、前記データ読み出し手段により読み出された映像データ及び／又は音声データと管理データを一時的に記憶する記憶手段と、前記記憶手段により記憶された前記映像データ及び／又は音声データを復号化して映像信号及び／又は音声信号として出力する再生手段と、前記記憶手段により記憶された前記管理データに基づいて、前記再生手段を制御する再生制御手段と、前記記憶手段により記憶された前記管理データからタイムコードを取得して再生時間情報を表示する時間表示手段とを備えた光ディスク再生装置において、前記再生手段は、前記再生制御手段からの制御信号に基づいて前記記憶手段により記憶された前記映像データ及び／又は音声データを再生するセクタ位置を制御し、早送り再生のときは、所定数のセクタからなる再生セクタグループの映像データ及び／又は音声データを再生した後、該再生セクタグループのセクタ数とは別に設定された所定セクタ数分だけデータの再生方向に映像データ及び／又は音声データを読み飛ばし、これら再生及び読み飛ばし動作を繰り返すことにより前記再生セクタグループのみを断続的に再生し、前記時間表示手段は、早送り再生のときは、前記読み飛ばされるセクタ数と前記再生されるセクタ数に基づいて、前記再生時間情報としてタイムコードが利用されるセクタの間隔を演算し、所定セクタ数の映像データ及び／又は音声データが再生される毎に、データの再生方向に、前記により演算されたセクタの間隔ずつセクタ位置を移動して、各セクタ位置の管理データからタイムコードを取得して再生時間情報を表示することを特徴とする。
【０００９】
請求項３の発明は、光ディスクに記録されている映像データ及び／又は音声データと該映像データ及び／又は音声データに対応する管理データとをセクタ単位で読み出すデータ読み出し手段と、前記データ読み出し手段により読み出された映像データ及び／又は音声データと管理データを一時的に記憶する記憶手段と、前記記憶手段により記憶された前記映像データ及び／又は音声データを復号化して映像信号及び／又は音声信号として出力する再生手段と、前記記憶手段により記憶された前記管理データに基づいて、前記再生手段を制御する再生制御手段と、前記記憶手段により記憶された前記管理データからタイムコードを取得して再生時間情報を表示する時間表示手段とを備えた光ディスク再生装置において、前記再生手段は、前記再生制御手段からの制御信号に基づいて前記記憶手段により記憶された前記映像データ及び／又は音声データを再生するセクタ位置を制御し、早戻し再生のときは、所定数のセクタからなる再生セクタグループの映像データ及び／又は音声データを再生した後、該再生セクタグループのセクタ数とは別に設定された所定セクタ数分だけデータの再生方向と逆方向に映像データ及び／又は音声データを読み飛ばし、これら再生及び読み飛ばし動作を繰り返すことにより前記再生セクタグループのみを断続的に再生し、前記時間表示手段は、早戻し再生のときは、前記読み飛ばされるセクタ数と前記再生されるセクタ数に基づいて、前記再生時間情報としてタイムコードが利用されるセクタの間隔を演算し、所定セクタ数の映像データ及び／又は音声データが再生される毎に、データの再生方向と逆方向に、前記により演算されたセクタの間隔ずつセクタ位置を移動して、各セクタ位置の管理データからタイムコードを取得して再生時間情報を表示することを特徴とする。
【発明の効果】
【００１０】
以上のように請求項１の発明によれば、早送り再生又は早戻し再生の際、セクタ単位で映像データ及び／又は音声データが再生される毎に、演算により求められた一定のセクタ間隔ずつセクタ位置を移動し、各セクタ位置の管理データからタイムコードを取得して再生時間情報を表示するため、表示される再生時間情報の値の変化が一定で、かつ、変化するタイミングが一定になるので、ユーザは再生時間情報を読み取り易くなる。このため、ユーザが再生時間情報を参照しながら目的とする再生位置を探す場合に、目的位置で停止させ易くなる。
【００１１】
請求項２の発明によれば、早送り再生の際に表示される再生時間情報の値の変化が一定で、かつ、変化するタイミングが一定になるので、ユーザは再生時間情報を読み取り易くなる。
【００１２】
請求項３の発明によれば、早戻し再生の際に表示される再生時間情報の値の変化が一定で、かつ、変化するタイミングが一定になるので、ユーザは再生時間情報を読み取り易くなる。
【発明を実施するための最良の形態】
【００１３】
本発明の一実施形態による光ディスク再生装置について、ＣＤプレーヤを例として、図１を参照して説明する。ＣＤプレーヤ１は、ＣＤ２に記録された音声データを再生するための装置であり、ドライブ制御部２０と、スピンドルモータ２１と、光ピックアップ２２と、信号処理部３０と、システム制御部４０と、バッファメモリ５０と、デコーダ部６０と、表示部７０と、リモコン受信部８０とを備えている。ＣＤ２には、音声データとこの音声データに対応するサブコーディング（管理データ）がセクタ単位で記録されており、サブコーディングのＱチャンネルには、タイムコードが記憶されている。なお、１セクタ当たりの再生時間は約０．０１３秒であり、７５セクタで約１秒となる。
【００１４】
ドライブ制御部２０は、スピンドルモータ２１と光ピックアップ（データ読み出し手段）２２とを制御するためのものであり、スピンドルモータ２１の回転速度の制御、光ピックアップ２２の位置制御、トラッキングサーボ制御、フォーカスサーボ制御等を行う。光ピックアップ２２は、不図示の半導体レーザ、光学系、光検出器等で構成されており、レーザビームをＣＤ２に照射してＣＤ２に記録されたデータの読み出しを行う。
【００１５】
信号処理部３０は、ＣＤ２の再生時に、光ピックアップ２２から入力される信号を復調してＣＤ２に記録されているデータに対応した再生信号を得る。また、信号処理部３０は、フォーカシングエラー信号及びトラッキングエラー信号を生成し、システム制御部４０に出力する。
【００１６】
システム制御部（再生制御手段）４０は、制御プログラムを記録したＲＯＭ、制御プログラムに従って演算処理を行うＣＰＵ、制御プログラムやデータなどを一時的に記憶するＲＡＭなどで構成されている。システム制御部４０は、リモコン８１を介してリモコン受信部８０に入力されるユーザの指示に従ってＣＤプレーヤ１の全体を制御し、再生動作、早送り再生動作、早戻し再生動作等を制御する。
【００１７】
バッファメモリ（記憶手段）５０は、光ピックアップ２２によりＣＤ２から読み出され、信号処理部３０により復調されたデータをセクタ単位で記憶する。デコーダ部（再生手段）６０は、バッファメモリ５０から入力される音声データに対して所定の処理を施して音声信号に変換すると共に、サブコーディングのＱチャンネルからタイムコードを取得する。音声信号は、不図示のスピーカにより音声として出力され、タイムコードは、他のサブコーディングと共にシステム制御部４０に出力される。表示部（時間表示手段）７０は、デコーダ部６０で取得されたタイムコードに基づいて再生時間情報を表示する。
【００１８】
まず、再生時間情報を表示部７０に表示する際の手順について図２を参照して説明する。早送り再生又は早戻し再生の際、システム制御部４０は、音声データが再生されているセクタが切り替わったか否かを判定する（Ｓ１）。そして、再生セクタが切り替わると（Ｓ１でＹＥＳ）、後述する演算方法により再生時間情報としてタイムコードが利用されるセクタ位置を演算し（Ｓ２）、その位置のセクタからタイムコードを取得して表示部７０の再生時間情報の表示を切り替える（Ｓ３）。
【００１９】
次に、早送り再生又は早戻し再生の際、再生時間情報としてタイムコードが利用されるセクタ位置を演算する方法について説明する。まず、早送り再生の場合について図３を参照して説明する。図３（ａ）において、セクタ０４の位置で早送り再生操作が行われると、所定数のセクタを読み飛ばし、再生セクタグループＦ１を再生し、さらに、所定数のセクタを読み飛ばし、再生セクタグループＦ２を再生する。ＣＤプレーヤ１は、このように再生動作と読み飛ばし動作を交互に繰り返すことにより、図３（ｂ）に示されるように再生セクタグループＦ１，Ｆ２…の音声データを再生する。このとき、読み飛ばし動作は一瞬で行われるため、音声はスピーカから連続的に出力される。一方、再生時間情報は、セクタ０４とセクタ１３の間、セクタ１６とセクタ２５の間でセクタが飛んでいるため、音声データが再生されているセクタのタイムコードを利用して再生時間情報を表示すると、再生時間が連続的に変化した後、突然大きく値が変化し不自然になる。そのため、ユーザは目的とする再生位置を探し難くなる。本実施形態のＣＤプレーヤ１においては、早送り再生、または、後述する早戻し再生の際、実際に音声データが再生されているセクタのタイムコードを利用して再生時間情報を表示せず、セクタ単位で映像データ音声データが再生される毎に、演算により求められた一定のセクタ間隔ずつセクタ位置を移動し、各セクタ位置の管理データからタイムコードを取得して時間情報を表示する。
【００２０】
図３（ａ）に示されるように、読み飛ばされるセクタ数”Ｓｓｋｉｐ”の値が”８”であり、再生されるセクタ数”Ｓｐｌａｙ”の値が”４”の場合、読み飛ばされるセクタ数”８”に再生されるセクタ数”４”を加算し、この加算値”１２”を再生されるセクタ数”４”で除算することにより、再生時間情報としてタイムコードが利用されるセクタの間隔”Ｔｄｉｓｐ”の値”３”を得る。そして、得られたセクタ間隔”Ｔｄｉｓｐ”を図３（ｄ）に示される式に代入し、セクタ位置を演算する。このセクタ位置からタイムコードが読み出され、そのタイムコードを用いて再生時間情報が表示される。
【００２１】
図３（ｄ）に示される式において、”読み飛ばす直前の再生セクタグループの最後のセクタ位置”は、図３（ａ）におけるセクタ０４、セクタ１３又はセクタ２５となる。そして”再生セクタグループ内でのセクタ位置”は、例えば、再生セクタグループＦ１において１番目に再生されるセクタ１３が”１”、２番目に再生されるセクタ１４が”２”、以下、セクタ１５が”３”、セクタ１６が”４”となる。そして、セクタ１３の音声データが再生された場合、”読み飛ばす直前の再生セクタグループの最後のセクタ位置”となるセクタ０４を基準として、セクタ間隔”Ｔｄｉｓｐ”の値”３”に”１”を乗じた値をセクタ０４のセクタ位置”４”に加算してセクタ位置”７”を得る。そして、セクタ１３の音声データ再生中にセクタ０７のタイムコードに基づいて再生時間情報を表示する。従って、図３（ｂ）に示されるセクタの音声データが再生されているときに、表示される再生時間情報は図３（ｃ）に示されるセクタのタイムコードに基づいて表示されることとなる。
【００２２】
次に、早戻し再生の場合について図４を参照して説明する。図４（ａ）において、セクタ２５の位置で早戻し再生操作が行われると、ＣＤプレーヤ１は、所定数のセクタを読み飛ばし、再生セクタグループＲ１を再生し、さらに、所定数のセクタを読み飛ばし、再生セクタグループＲ２を再生する。ＣＤプレーヤ１は、このように再生動作と読み飛ばし動作を交互に繰り返すことにより、図４（ｂ）に示されるように再生セクタグループＲ１，Ｒ２…の音声データを再生する。
【００２３】
図４（ａ）に示されるように、読み飛ばされるセクタ数”Ｓｓｋｉｐ”の値が”１６”であり、再生されるセクタ数”Ｓｐｌａｙ”の値が”４”の場合、読み飛ばされるセクタ数”１６”から再生されるセクタ数”４”を減算し、この減算値”１２”を再生されるセクタ数”４”で除算することにより、再生時間情報としてタイムコードが利用されるセクタの間隔”Ｔｄｉｓｐ”の値”３”を得る。そして、得られたセクタ間隔”Ｔｄｉｓｐ”を図４（ｄ）に示される式に代入し、セクタ位置を演算する。このセクタ位置からタイムコードが読み出され、そのタイムコードを用いて再生時間情報が表示される。
【００２４】
図４（ｄ）に示される式において、”読み飛ばす直前の再生セクタグループの先頭のセクタ位置”は、図４（ａ）におけるセクタ２５、セクタ１３又はセクタ１となる。そして”再生セクタグループ内でのセクタ位置”は、例えば、再生セクタグループＲ１において１番目に再生されるセクタ１３が”１”、２番目に再生されるセクタ１４が”２”、以下、セクタ１５が”３”、セクタ１６が”４”となる。そして、セクタ１３の音声データが再生された場合、”読み飛ばす直前の再生セクタグループの先頭のセクタ位置”となるセクタ２５を基準として、セクタ間隔”Ｔｄｉｓｐ”の値”３”に”１”を乗じた値をセクタ２５のセクタ位置”２５”から減算してセクタ位置”２２”を得る。そして、セクタ１３の音声データ再生中にセクタ２２のタイムコードに基づいて再生時間情報を表示する。従って、図４（ｂ）に示されるセクタの音声データが再生されているときに、表示される再生時間情報は図４（ｃ）に示されるセクタのタイムコードに基づいて表示されることとなる。
【００２５】
以上のように本実施形態のＣＤプレーヤ１によれば、早送り再生又は早戻し再生の際、セクタ単位で音声データが再生される毎に、演算により求められた一定のセクタ間隔ずつセクタ位置を移動し、各セクタ位置の管理データからタイムコードを取得して再生時間情報を表示するため、表示される再生時間情報の値の変化が一定で、かつ、変化するタイミングが一定になるので、ユーザは再生時間情報を読み取り易くなる。このため、ユーザが再生時間情報を参照しながら目的とする再生位置を探す場合に、目的位置で停止させ易くなる。
【００２６】
なお、本発明は上記実施形態の構成に限られることなく種々の変形が可能である。例えば、上述した実施形態ではＣＤについて説明したが、光ディスクとしてはＣＤに限られず、ＤＶＤ（digital  versatile  disc）等、他の光ディスクであってもよい。また、光ディスクに記録されたデータは音声データに限られず、映像データであってもよい。また、早送り再生又は早戻し再生する際の再生するセクタ数”Ｓｓｋｉｐ”、読み飛ばすセクタ数”Ｓｐｌａｙ”、再生時間情報としてタイムコードが利用されるセクタの間隔”Ｔｄｉｓｐ”は上記実施形態の値に限られず、早送り再生又は早戻し再生の倍速数に合わせて一定のセクタ間隔でタイムコードを取得して、表示部７０に表示される再生時間情報の値の変化が一定で、かつ、変化するタイミングが一定になればよい。
【図面の簡単な説明】
【００２７】
【図１】本発明の一実施形態によるＣＤプレーヤの構成を示すブロック図。
【図２】同装置の早送り再生又は早戻し再生の際の時間表示演算処理を説明するフローチャート。
【図３】同装置の早送り再生動作の説明図。
【図４】同装置の早戻し再生動作の説明図。
【図５】従来の光ディスク再生装置における早送り再生又は早戻し再生の説明図。
【符号の説明】
【００２８】
１    ＣＤプレーヤ（光ディスク再生装置）
２    ＣＤ（光ディスク）
２２    光ピックアップ（データ読み出し手段）
４０    システム制御部（再生制御手段）
５０    バッファメモリ（記憶手段）
６０    デコーダ部（再生手段）
７０    表示部（時間表示手段）
Ｆ１，Ｆ２，Ｒ１，Ｒ２    再生セクタグループ
【図１】
2005129188.tif 000003
【図２】
2005129188.tif 000004
【図３】
2005129188.tif 000005
【図４】
2005129188.tif 000006
【図５】
2005129188.tif 000007